(57)【特許請求の範囲】
【請求項１】
プロセッサと、
前記プロセッサに接続されたメモリと
を具備し、
前記メモリは、
チャネライゼーションコード毎に等しいパワーを有する、指定された数のチャネライゼーションコードのためのパワーの合計を示すパワー情報を決定することと、
ユーザ機器（ＵＥ）へ前記パワー情報を送信することと、
を具備し、動作を行うために前記プロセッサによって実行可能な命令を記憶し、
前記パワー情報は、前記指定された数のチャネライゼーションコードのためのパワーの合計とパイロットチャネルのパワーとの間のパワーオフセットを含み、
前記パワーオフセットは、データチャネルに利用可能なパワーと、前記指定された数のチャネライゼーションコードのうちの利用可能なチャネライゼーションコードの数とに基づいて決定される
無線通信のための装置。
【請求項２】
前記動作は、
チャネライゼーションコードのセットを使用して第１伝送ブロックを送信することと、
前記第１伝送ブロックのために用いられる前記チャネライゼーションコードのセットのサブセットで、第２伝送ブロックを送信することと
をさらに含む、請求項１記載の装置。
【請求項３】
前記指定された数のチャネライゼーションコードは、１５個の直交可変拡散率（ＯＶＳＦ）符号のセットである、請求項１記載の装置。
【請求項４】
前記動作は、
データチャネルに利用可能なパワーを決定することと、
前記データチャネルに利用可能なチャネライゼーションコードの数を決定することと、
前記利用可能なパワーと、前記利用可能なチャネライゼーションコードの数と、前記チャネライゼーションコードの指定された数とに基づいて、前記パワー情報を決定することと
をさらに含む、請求項１記載の装置。
【請求項５】
前記動作は、
前記利用可能なパワーと前記利用可能なチャネライゼーションコードの数とに基づいて、前記チャネライゼーションコード毎のパワーを決定することと、
前記チャネライゼーションコードの指定された数と、前記利用可能なチャネライゼーションコードの数と、前記チャネライゼーションコード毎のパワーとに基づいて、前記指定された数のチャネライゼーションコードのためのパワーの合計を算出することと、
前記指定された数のチャネライゼーションコードのためのパワーの合計に基づいて前記パワー情報を決定することと
をさらに含む、請求項４記載の装置。
【請求項６】
前記動作は、前記パイロットチャネルの前記パワーを決定することをさらに含む、請求項５記載の装置。
【請求項７】
前記動作は、
前記ＵＥから少なくとも一つのチャネル品質インジケータ（ＣＱＩ）インデックスを受信することと、前記少なくとも一つのＣＱＩインデックスに基づいて、前記ＵＥに前記少なくとも一つの伝送ブロックを送信することと、
をさらに含み、
前記少なくとも一つのＣＱＩインデックスは、前記チャネライゼーションコード毎のパワーに基づいて前記ＵＥによって決定され、前記少なくとも一つのＣＱＩインデックスは、少なくとも１つの処理パラメータを示す、
請求項１記載の装置。
【請求項８】
前記動作は、前記ＵＥに、前記チャネライゼーションコード毎のパワー以上で、前記指定された数のチャネライゼーションコードで、前記少なくとも一つの伝送ブロックを送信することをさらに含む、請求項７記載の装置。
【請求項９】
前記動作は、
前記チャネライゼーションコードの指定された数及び前記利用可能なチャネライゼーションコードの数に基づいて、前記少なくとも一つの伝送ブロックのサイズを調整することと、
前記ＵＥに、前記チャネライゼーションコード毎のパワー以上で、前記利用可能な数のチャネライゼーションコードを使用して前記調整されたサイズで、前記少なくとも一つの伝送ブロックを送信することと
をさらに備える、請求項７記載の装置。
【請求項１０】
前記動作は、
前記チャネライゼーションコードの指定された数及び前記利用可能なチャネライゼーションコードの数に基づいて、前記チャネライゼーションコード毎のパワーを調整することと、
前記ＵＥに、前記調整されたチャネライゼーションコード毎のパワーで、前記利用可能な数のチャネライゼーションコードで、前記少なくとも一つの伝送ブロックを送信することと
をさらに備える、請求項７記載の装置。
【請求項１１】
前記動作は、チャネライゼーションコードの共通のセットで、複数の伝送ブロックの各々を送信することをさらに備える、請求項１記載の装置。
【請求項１２】
前記チャネライゼーションコードの指定された数は、データ伝送に利用可能なチャネライゼーションコードの最大数である請求項１記載の装置。
【請求項１３】
前記チャネライゼーションコードの指定された数は、データ伝送に利用可能な、前記ＵＥによって演繹的にわかる、チャネライゼーションコードの定数である請求項１記載の装置。
【請求項１４】
前記動作は、前記ＵＥに、無線リソース制御（ＲＲＣ）メッセージ中の情報エレメント中の前記パワー情報を送信することをさらに備える、請求項１記載の装置。
【請求項１５】
チャネライゼーションコード毎に等しいパワーを有する、指定された数のチャネライゼーションコードのためのパワーの合計を示すパワー情報を決定することと、
ユーザ機器（ＵＥ）に前記パワー情報を送信することと、
を具備し、
前記パワー情報は、前記指定された数のチャネライゼーションコードのためのパワーの合計とパイロットチャネルのパワーとの間のパワーオフセットを含み、
前記パワーオフセットは、データチャネルに利用可能なパワーと、前記指定された数のチャネライゼーションコードのうちの利用可能なチャネライゼーションコードの数とに基づいて決定される
無線通信のための方法。
【請求項１６】
前記指定された数のチャネライゼーションコードのためのパワーの合計と、前記パイロットチャネルの前記パワーとに基づいて、前記パワーオフセットを決定することをさらに具備する、請求項１５記載の方法。
【請求項１７】
前記ＵＥから少なくとも一つのチャネル品質インジケータ（ＣＱＩ）インデックスを受け取ることと、
前記少なくとも一つのＣＱＩインデックスに基づいて前記少なくとも一つの伝送ブロックを処理することと、
前記ＵＥに、前記チャネライゼーションコード毎のパワー以上で、前記指定された数のチャネライゼーションコードで、前記少なくとも一つの伝送ブロックを送信することと
をさらに具備し、
前記少なくとも一つのＣＱＩインデックスは、前記チャネライゼーションコード毎のパワーに基づいて、前記ＵＥによって決定され、前記少なくとも一つのＣＱＩインデックスは、少なくとも１つの伝送ブロックと関連する少なくとも１つの処理パラメータを示す
請求項１５記載の方法。
【請求項１８】
前記ＵＥから少なくとも一つの伝送ブロックのための少なくとも一つのチャネル品質インジケータ（ＣＱＩ）インデックスを受け取ることと、
前記チャネライゼーションコードの指定された数及び前記利用可能なチャネライゼーションコードの数に基づいて、前記少なくとも一つの伝送ブロックのサイズを調整することと、
前記少なくとも一つのＣＱＩインデックスに従って前記調整されたサイズで前記少なくとも一つの伝送ブロックを処理することと、
前記ＵＥに、前記チャネライゼーションコード毎のパワー以上で、前記利用可能な数のチャネライゼーションコードを使用して、前記調整されたサイズで前記少なくとも一つの伝送ブロックを送信することと
をさらに具備し、
前記少なくとも一つのＣＱＩインデックスは、前記チャネライゼーションコード毎のパワーに基づいて、前記ＵＥによって決定され、前記少なくとも一つのＣＱＩインデックスは、前記少なくとも１つの伝送ブロックと関連する少なくとも１つの処理パラメータを示す
請求項１５記載の方法。
【請求項１９】
チャネライゼーションコード毎に等しいパワーを有する、指定された数のチャネライゼーションコードのためのパワーの合計を示すパワー情報を決定するための手段と、
ユーザ機器（ＵＥ）に前記パワー情報を送信するための手段と、
を具備し、
前記パワー情報は、前記指定された数のチャネライゼーションコードのためのパワーの合計とパイロットチャネルのパワーとの間のパワーオフセットを含み、
前記パワーオフセットは、データチャネルに利用可能なパワーと、前記指定された数のチャネライゼーションコードのうちの利用可能なチャネライゼーションコードの数とに基づいて決定される
無線通信のための装置。
【請求項２０】
前記指定された数のチャネライゼーションコードのためのパワーの合計と前記パイロットチャネルの前記パワーとに基づいて、前記パワーオフセットを決定するための手段をさらに具備する、請求項１９記載の装置。
【請求項２１】
前記パワーオフセットは、データチャネルに利用可能なパワーと、前記データチャネルに利用可能なチャネライゼーションコードの数とに基づいてさらに決定される請求項１９記載の装置。
【請求項２２】
前記ＵＥから少なくとも一つの伝送ブロックのためのチャネル品質インジケータ（ＣＱＩ）インデックスを受信するための手段と、
前記ＣＱＩインデックスに従って前記少なくとも一つの伝送ブロックを処理するための手段と、
前記ＵＥに、前記チャネライゼーションコード毎のパワー以上で、前記指定された数のチャネライゼーションコードで、前記少なくとも一つの伝送ブロックを送信するための手段と
をさらに具備し、
前記ＣＱＩインデックスは、前記チャネライゼーションコード毎のパワーに基づいて、前記ＵＥによって決定され、前記ＣＱＩインデックスは、前記少なくとも１つの伝送ブロックと関連する少なくとも１つの処理パラメータを示す
請求項１９記載の装置。
【請求項２３】
前記ＵＥから少なくとも一つの伝送ブロックのためのチャネル品質インジケータ（ＣＱＩ）インデックスを受信するための手段と、
前記チャネライゼーションコードの指定された数及び前記利用可能なチャネライゼーションコードの数に基づいて、前記少なくとも一つの伝送ブロックのサイズを調整するための手段と、
ＣＱＩインデックスに従って、前記少なくとも一つの伝送ブロックを処理するための手段と、
前記ＵＥに、前記チャネライゼーションコード毎のパワー以上で、前記利用可能な数のチャネライゼーションコードを使用して前記調整されたサイズで、前記少なくとも一つの伝送ブロックを送信するための手段と
をさらに具備し、
前記ＣＱＩインデックスは、前記チャネライゼーションコード毎のパワーに基づいて、前記ＵＥによって決定され、前記ＣＱＩインデックスは、前記少なくとも１つの伝送ブロックと関連する少なくとも１つの処理パラメータを示す
請求項１９記載の装置。
【請求項２４】
チャネライゼーションコード毎に等しいパワーを有する、指定された数のチャネライゼーションコードのためのパワーの合計を示すパワー情報を決定することと、
ユーザ機器（ＵＥ）に前記パワー情報を送信することと、
を具備し、
前記パワー情報は、前記指定された数のチャネライゼーションコードのためのパワーの合計とパイロットチャネルのパワーとの間のパワーオフセットを含み、
前記パワーオフセットは、データチャネルに利用可能なパワーと、前記指定された数のチャネライゼーションコードのうちの利用可能なチャネライゼーションコードの数とに基づいて決定される
動作を行うためにプロセッサによって実行可能な命令を記憶する非一時的コンピュータ読み取り可能な記憶媒体。
【請求項２５】
前記指定された数のチャネライゼーションコードの各々は、直交可変拡散率（ＯＶＳＦ）符号である請求項１記載の装置。
【発明の詳細な説明】
【優先権の主張】
【０００１】
（３５U.S.C.１１９条の下での優先権主張）
本願発明は、参照することによりここに明示的に組み込まれ、本願の譲受人に譲渡され、２００７年１月１２日に出願され、「ＭＩＭＯにおける仮想パワーオフセットのシグナリング」と題された米国仮出願第６０／８８４，８２０の優先権を主張する。
【技術分野】
【０００２】
本開示は、一般に通信に、より具体的には無線通信システムにおけるパワー情報のシグナリングのための技術に関する。
【背景技術】
【０００３】
無線通信システムでは、ノードＢは、マルチプル（Ｒ）受信アンテナを備えるユーザ機器（user equipment）（ＵＥ）へのデータ伝送のためのマルチプル（Ｔ）送信アンテナを利用できる。マルチプル送信及び受信アンテナは、スループットを増加及び／又は信頼性を改善するために使用し得るマルチプル・インプット・マルチプル・アウトプット（ＭＩＭＯ）チャネルを形成する。例えば、ノードＢは、スループットを改善するために、Ｔ個の送信アンテナから最大Ｔ個のデータストリームを同時に送信することができる。あるいは、ノードＢは、ＵＥによって受信品質を改善するために、Ｔ個の送信アンテナすべてから単一のデータストリームを送信することができる。各データストリームは、与えられた送信時間間隔（transmission time interval）（ＴＴＩ）内に、データの一つの伝送ブロックを運ぶことができる。従って、「データストリーム」、「伝送ブロック」という用語は、置き換え可能に使用され得る。
【０００４】
優れたパフォーマンス（例えば高いスループット）は、ＵＥが確実に伝送ブロックを解読することが依然として可能である、できるだけ高いレートで各伝送ブロックを送ることにより達成され得る。ＵＥは、送信され得る伝送ブロックの各々可能なプリコーディング（precoding）の組み合わせの信号対干渉及び雑音比（ＳＩＮＲ）を推定でき、それから、伝送ブロックの最良のプリコーディングの組み合わせの推定されたＳＩＮＲに基づいて、チャネル品質インジケータ（ＣＱＩ）情報を決定できる。ＣＱＩ情報は、各伝送ブロックの１セットの処理パラメータを搬送（convey）できる。ＵＥはノードＢにＣＱＩ情報を送信できる。ノードＢは、ＣＱＩ情報に従って一つ以上の伝送ブロックを処理し、伝送ブロックをＵＥに送信できる。
【０００５】
データ伝送パフォーマンスは、ＵＥによるＣＱＩ情報の正確な決定及び報告に依存し得る。したがって、ＣＱＩ情報の正確な決定及び報告を容易にするための技術に関して、当技術分野における必要性がある。
【発明の概要】
【０００６】
ＭＩＭＯ伝送のためのＣＱＩ情報の正確な決定及び報告を容易にするパワー情報のシグナリングのための技術は、ここに記述される。符号分割多重を用いて送信されるＭＩＭＯ伝送のために、伝送ブロックのＳＩＮＲは、チャネライゼーションコード毎のパワー、ＰＯＶＳＦに依存し得るが、ＰＯＶＳＦの線形関数ではないことがある。
【０００７】
ある側面（aspect）では、ノードＢは、その後、ＳＩＮＲ推定に使用され得るＰＯＶＳＦを決定するためにＵＥによって使用され得るパワー情報を送信できる。一つの設計（design）では、パワー情報は、データチャネルのパワー、ＰＨＳＰＤＳＣＨとパイロットチャネルのパワー、ＰＣＰＩＣＨとの間のパワーオフセットを含む。一般に、データチャネルは、任意の数のチャネライゼーションコードを含み得る。ＰＨＳＰＤＳＣＨは、既知の値であり得る、又はシグナリングを介して与えられ得る、チャネライゼーションコードの指定された数Ｍのために与えられ得る。ノードＢは、データチャネルに利用可能なパワー  
【数１】
0005955918.tif 000002
【０００８】
、データチャネルに利用可能なチャネライゼーションコードの数Ｋ、及び指定された数Ｍのチャネライゼーションコードに基づいて、ＰＨＳＰＤＳＣＨを決定できる。利用可能なチャネライゼーションコードの数よりも、指定された数のチャネライゼーションコードが大きい場合、ＰＨＳＰＤＳＣＨは、  
【数２】
0005955918.tif 000003
【０００９】
よりも大きくなり得る。
【００１０】
ＵＥは、ノードＢからパワー情報を受信でき、パワー情報及び指定された数のチャネライゼーションコードに基づいてＰＯＶＳＦを決定できる。一つの設計では、ＵＥはパワー情報からパワーオフセットを取得でき、パワーオフセット及び既知のＰＣＰＩＣＨに基づいてＰＨＳＰＤＳＣＨを算出できる。そしてＵＥは、ＰＯＶＳＦを取得するために少なくとも一つの伝送ブロックを越えて（across）、さらに指定された数のチャネライゼーションコードを越えて（across）ＰＨＳＰＤＳＣＨを分配（distribute）できる。ＵＥは、ＰＯＶＳＦに基づいて各伝送ブロックのＳＩＮＲを推定（estimate）でき、次に、各伝送ブロックのＳＩＮＲに基づいて、少なくとも一つの伝送ブロックのためのＣＱＩ情報を決定できる。ＵＥはノードＢにＣＱＩ情報を送信できる。
【００１１】
ノードＢはＵＥからＣＱＩ情報を受信でき、ＵＥにＭＩＭＯ伝送での少なくとも一つの伝送ブロックを送信できる。一つの設計では、ノードＢはＰＯＶＳＦ以上で、指定された数のチャネライゼーションコードを備える伝送ブロックを送信できる。別の設計では、ノードＢは、ＰＯＶＳＦ以上でＫ個の利用可能なチャネライゼーションコードを備える伝送ブロックを送信することができ、指定された数のチャネライゼーションコードＭ、及び利用可能なチャネライゼーションコードの数Ｋに基づいて、伝送ブロックのサイズを調整する（scale）ことができる。さらに別の設計では、ノードＢは、ＫとＭに基づいてＰＯＶＳＦを調整（scale）でき、次に、調整されたＰＯＶＳＦでＫ個の利用可能なチャネライゼーションコードを備える伝送ブロックを送信することができる。
【００１２】
開示の様々な態様及び特徴は、以下にさらに詳細に記述される。
【図面の簡単な説明】
【００１３】
【図１】図１は、無線通信システムを示す。
【図２】図２は、ノードＢ及びＵＥのブロック図を示す。
【図３】図３は、物理チャネルのセットのためのタイミング図を示す。
【図４】図４は、ノードＢによるパワーオフセットのスケーリングを示す。
【図５】図５は、ノードＢによってパワーオフセットを送信するためのメカニズムを示す。
【図６】図６は、ＵＥによってＣＱＩ情報を決定するプロセスを示す。
【図７】図７は、ノードＢによって実行されるプロセスを示す。
【図８】図８は、ＵＥによって実行されるプロセスを示す。
【発明を実施するための形態】
【００１４】
ここに記載された技術は、符号分割多元接続（ＣＤＭＡ）システム、時分割多元接続（ＴＤＭＡ）システム、周波数分割多元接続（ＦＤＭＡ）システム、直交ＦＤＭＡ（ＯＦＤＭＡ）システム、単一のキャリアのＦＤＭＡ（ＳＣ−ＦＤＭＡ）システムなどのような様々な無線通信システムに使用し得る。「システム」、「ネットワーク」という用語は、しばしば置き換え可能に使用し得る。ＣＤＭＡシステムは、ユニバーサル地上無線アクセス（Universal Terrestrial Radio Access）（ＵＴＲＡ）、ｃｄｍａ２０００などのような無線技術を実装（implement）できる。ＵＴＲＡは広帯域の符号分割多元接続（Ｗ−ＣＤＭＡ）及び他のＣＤＭＡの変形を含む。ｃｄｍａ２０００はＩＳ−２０００、ＩＳ−９５及びＩＳ−８５６標準をカバーする。ＵＴＲＡはユニバーサルモバイルテレコミュニケーションシステム（ＵＭＴＳ）の一部であり、いずれも「第三世代パートナーシッププロジェクト」（３ＧＰＰ）と名付けられた組織が提供している文献に記載される。ｃｄｍａ２０００は、「第三世代パートナーシッププロジェクト２」（３ＧＰＰ２）と名付けられた組織が提供している文献に記述される。これらの様々な無線技術及び標準は当技術分野において知られている。明瞭さのため、それら技術はＵＭＴＳのために以下に記載され、ＵＭＴＳ用語は以下の記載の多くで使用される。
【００１５】
図１は、複数のノードＢ１１０及び複数のＵＥ１２０を備える無線通信システム１００を示す。システム１００もＵＭＴＳにおけるユニバーサル地上無線アクセスネットワーク（Universal Terrestrial Radio Access Network）（ＵＴＲＡＮ）と呼ばれ得る。ノードＢは、一般にＵＥと通信する固定局であり、発展型（evolved）ノードＢ（ｅＮｏｄｅ  Ｂ）、基地局、アクセス・ポイントなどとも呼ばれ得る。各ノードＢ１１０は特定の地理的エリアに通信有効範囲を提供し、有効範囲エリア内にあるＵＥのための通信を支援する。システムコントローラ１３０はノードＢ１１０に連結されて、これらノードＢに調整と制御を提供する。システムコントローラ１３０は、単一のネットワークエンティティ又はネットワークエンティティの集まりであり得る。
【００１６】
ＵＥ１２０はシステムの全体にわたって分散し得、各ＵＥは静止しているかもしれないか、移動可能かもしれない。ＵＥは、移動局、端末、アクセス端末、加入者ユニット、局などとも呼ばれ得る。ＵＥは、携帯電話、携帯情報端末（ＰＤＡ）、無線装置、ハンドヘルド装置、無線モデム、ラップトップコンピュータなどであり得る。
【００１７】
図２は、一つのノードＢ１１０及び一つのＵＥ１２０の設計のブロック図を示す。この設計では、ノードＢ１１０は複数の（Ｔ）アンテナ２２０ａから２２０ｔを備え、ＵＥ１２０は複数の（Ｒ）アンテナ２５２ａから２５２ｒを備える。ＭＩＭＯ伝送は、ノードＢ１１０のＴ送信アンテナからＵＥ１２０のＲ受信アンテナへ送信され得る。
【００１８】
ノードＢ１１０において、送信（ＴＸ）データ及びシグナリングプロセッサ２１２は、すべての予定された（scheduled）ＵＥのためにデータ元（図示せず）からデータを受信できる。プロセッサ２１２は、各ＵＥのためのデータを処理（例えば、フォーマット、符号化、インタリーブ、シンボルマップ（map））でき、データの変調シンボルであるデータシンボルを提供し得る。プロセッサ２１２はさらにシグナリング（例えば、パワー情報）を処理でき、シグナリングの変調シンボルであるシグナリングシンボルを提供できる。空間マッパー（spatial mapper）２１４は、各ＵＥのためのプリコーディングマトリックス又はベクトルに基づいて、そのＵＥのデータシンボルをあらかじめ符号化（precode）でき、すべてのＵＥに出力シンボルを提供できる。ＣＤＭＡ変調器（ＭＯＤ）２１６は、出力シンボル及びシグナリングシンボルに対するＣＤＭＡ処理を行い、Ｔ送信器（ＴＭＴＲ）２１８ａから２１８ｔにＴ出力チップストリームを提供してもよい。各送信器２１８は、その出力チップストリームを処理でき（例えば、アナログに変換する、フィルタにかける、増幅する、周波数をアップコンバートする）、ダウンリンク信号を提供できる。Ｔ送信器２１８ａから２１８ｔからのＴダウンリンク信号は、それぞれＴアンテナ２２０ａから２２０ｔを介して送信され得る。
【００１９】
ＵＥ１２０において、Ｒアンテナ２５２ａから２５２ｒは、ノードＢ１１０からダウンリンク信号を受信でき、それぞれ、Ｒ受信器（ＲＣＶＲ）２５４ａから２５４ｒにＲ受信信号を提供できる。各受信器２５４はその受信信号を処理でき（例えば、フィルタにかける、増幅する、周波数をダウンコンバートする、デジタル化する）、チャネルプロセッサ２６８及び等化器／ＣＤＭＡ復調器（ＤＥＭＯＤ）２６０にサンプルを提供できる。プロセッサ２６８は、フロントエンドフィルタ／等化器のための係数、及び等化器／ＣＤＭＡ復調器２６０のための一つ以上の結合（combiner）マトリックスのための係数を導出することができる。ユニット２６０は、フロントエンドフィルタ及びＣＤＭＡ復調を備えた等化を行うことができ、フィルタにかけられたシンボルを提供できる。ＭＩＭＯ検出器２６２は空間的次元（spatial dimension）をまたがって（across）フィルタにかけられたシンボルを結合でき、ＵＥ１２０に送信されたデータシンボル及びシグナリングシンボルの推定値（estimates）である、検出されたシンボルを提供することができる。受信（ＲＸ）データ及びシグナリングプロセッサ２６４は、検出されたシンボルを処理（例えば、シンボルデマップ（demap）、デインタリーブ（deinterleave）、復号）でき、デコードされたデータ及びシグナリングを提供できる。一般に、等化器／ＣＤＭＡ復調器２６０、ＭＩＭＯ検出器２６２、並びにＲＸデータ及びシグナリングプロセッサ２６４による処理は、ノードＢ１１０において、ＣＤＭＡ変調器２１６、空間マッパー２１４並びにＴＸデータ及びシグナリングプロセッサ２１２による処理にそれぞれ補完的である。
【００２０】
チャネルプロセッサ２６８は、ノードＢ１１０からＵＥ１２０への無線チャネルの応答を推定（estimate）できる。プロセッサ２６８及び／又は２７０は、プリコーディング制御インジケータ（ＰＣＩ）情報とＣＱＩ情報とを含み得るフィードバック情報を取得するために導出された係数及び／又はチャネル推定値を処理できる。ＰＣＩ情報は、並列に送信するための伝送ブロックの数と、伝送ブロックをあらかじめ符号化するために使用する特定のプリコーディングマトリックス又はベクトルとを搬送できる。伝送ブロックはさらに、パケット、データブロックなどと呼ばれ得る。ＣＱＩ情報は、各伝送ブロックのための処理パラメータ（例えば、伝送ブロックサイズ及び変調スキーム）を搬送できる。プロセッサ２６８及び／又は２７０は、データ伝送に使用できる、異なる可能なプリコーディングマトリックス又はベクトルを評価でき、最良の性能、例えば最も高い総合的なスループットを提供できるプリコーディングマトリックス又はベクトルを選択できる。プロセッサ２６８及び／又は２７０は、さらに、選択されたプリコーディングマトリックス又はベクトルのためのＣＱＩ情報を決定できる。
【００２１】
アップリンク上で送信するためのデータ及びフィードバック情報は、ＴＸデータ及びシグナリングプロセッサ２８０によって処理され、さらに、ＣＤＭＡ変調器２８２によって処理され、それぞれ、アンテナ２５２ａから２５２ｒを介して送信され得るＲアップリンク信号を生成するために、送信器２５４ａから２５４ｒによって調整され得る。ＵＥ１２０における送信アンテナの数は、受信アンテナの数と等しくてもよいし、等しくなくてもよい。例えば、ＵＥ１２０は二つのアンテナを使用してデータを受信し得るが、たった一つのアンテナを使用して、フィードバック情報を送信し得る。ノードＢ１１０では、ＵＥ１２０からのアップリンク信号はアンテナ２２０ａから２２０ｔによって受信され、受信器２１８ａから２１８ｔによって調整され、等化器／ＣＤＭＡ復調器２４０によって処理され、ＭＩＭＯ検出器２４２によって検出され、ＵＥ１２０によって送られたデータとフィードバック情報とを復元するためにＲＸデータ及びシグナリングプロセッサ２４４によって処理されてもよい。ノードＢ１１０における受信アンテナの数は、送信アンテナの数と一致してもよいし、一致しなくてもよい。
【００２２】
コントローラ／プロセッサ２３０及び２７０は、それぞれ、ノードＢ１１０及びＵＥ１２０において動作を指示できる。メモリ２３２及び２７２は、それぞれ、ノードＢ１１０及びＵＥ１２０のためのプログラムコード及びデータを格納できる。スケジューラ２３４は、ダウンリンク及び／又はアップリンク送信のため、例えば、ＵＥから受信したフィードバック情報に基づいて、ＵＥのスケジュールを立てることができる。
【００２３】
ＵＭＴＳでは、ＵＥのためのデータは、より高いレイヤにおける一つ以上のトランスポートチャネルとして処理され得る。トランスポートチャネルは、音声、ビデオ、パケットデータなどのような一つ以上のサービスのためのデータを運ぶことができる。トランスポートチャネルは、物理レイヤにおける物理チャネルへ割り当てられ得る（may be mapped）。物理チャネルは、異なるチャネライゼーションコードでチャネル化され得（channelized）、従って、符号領域において互いに直交し得る。ＵＭＴＳは、物理チャネルのためのチャネライゼーションコードとして直交可変拡散率（ＯＶＳＦ）符号を使用する。
【００２４】
リリース５以降の３ＧＰＰは、ダウンリンク上で高速なパケットデータ伝送を可能にする手順及びチャネルのセットである、高速ダウンリンクパケットアクセス（ＨＳＤＰＡ）をサポートする。ＨＳＤＰＡについては、ノードＢは、時間と符号の両方においてすべてのＵＥによって共有されるダウンリンクトランスポートチャネルである、高速ダウンリンク共有チャネル（ＨＳ−ＤＳＣＨ）上でデータを送信できる。ＨＳ−ＤＳＣＨは、各ＴＴＩ内において一つ以上のＵＥのためのデータを運ぶことができる。ＵＭＴＳについては、１０ミリセカンド（ｍｓ）の無線フレームは、５つの２ｍｓのサブフレームへ分割され、各サブフレームは３つのスロットを含み、各スロットは０．６６７ｍｓの存続時間（duration）を持つ。ＴＴＩはＨＳＤＰＡのための一つのサブフレームと等しく、ＵＥがスケジュールされ、供給され（serve）得る最小の時間単位である。ＨＳ−ＤＳＣＨの共有は、ＴＴＩからＴＴＩにダイナミックに変更できる。
【００２５】
表１は、ＨＳＤＰＡのために使用されたダウンリンク及びアップリンクの物理チャネルを列記し、各物理チャネルの短い説明を提供する。
【表１】
0005955918.tif 000004
【００２６】
図３は、ＨＳＤＰＡのために使用された物理チャネルのためのタイミング図を示す。ＨＳＤＰＡについては、ノードＢは、各ＴＴＩにおいて一つ以上のＵＥに供給できる（may serve）。ノードＢはＨＳ−ＳＣＣＨ上のそれぞれスケジュールされた（scheduled）ＵＥのためにシグナリングを送信し、２スロット後のＨＳ−ＰＤＳＣＨの上でデータを送信できる。ノードＢは、ＨＳ−ＳＣＣＨに対して、設定可能な（configurable）数の１２８チップのＯＶＳＦ符号を使用でき、ＨＳ−ＰＤＳＣＨに対して、１５までの１６チップＯＶＳＦ符号を使用できる。ＨＳＤＰＡは、１５までの１６チップＯＶＳＦ符号を備える単一のＨＳ−ＰＤＳＣＨ、及び設定可能な数の１２８チップＯＶＳＦ符号を備える単一のＨＳ−ＳＣＣＨを有するものと見なされ得る。同等に、ＨＳＤＰＡは、１５までのＨＳ−ＰＤＳＣＨ及び設定可能な数のＨＳ−ＳＣＣＨを有するものと見なされ得る。各ＨＳ−ＰＤＳＣＨは単一の１６チップＯＶＳＦ符号を有し、各ＨＳ−ＳＣＣＨは単一の１２８チップＯＶＳＦ符号を有する。次の説明は、単一のＨＳ−ＰＤＳＣＨ及び単一のＨＳ−ＳＣＣＨの用語（terminology）を使用する。
【００２７】
ＨＳ−ＰＤＳＣＨ上でデータを受信し得る各ＵＥは、シグナリングがそのＵＥのために送信されたかどうか判断するために、各ＴＴＩにおいてＨＳ−ＳＣＣＨのための４つまでの１２８チップＯＶＳＦ符号を処理できる。与えられたＴＴＩの中でスケジュールされた各ＵＥは、そのＵＥに送信されたデータを回復する（recover）ためにＨＳ−ＰＤＳＣＨを処理できる。スケジュールされたＵＥそれぞれは、伝送ブロックが正確にデコードされる場合にＨＳ−ＤＰＣＣＨ上に肯定応答（ＡＣＫ）を、そうでない場合に否定応答（ＮＡＣＫ）を送信できる。各ＵＥは、さらにノードＢにＨＳ−ＤＰＣＣＨ上でＰＣＩ及びＣＱＩ情報を送信できる。
【００２８】
図３は、さらにＵＥでのＨＳ−ＳＣＣＨ、ＨＳ−ＰＤＳＣＨ及びＨＳ−ＤＰＣＣＨの間のタイミングオフセットを示す。ＨＳ−ＰＤＳＣＨは、ＨＳ−ＳＣＣＨの２スロット後に始まる。ＨＳ−ＤＰＣＣＨは、ＨＳ−ＰＤＳＣＨ上の対応する送信の終了からおよそ７．５スロットで始まる。
【００２９】
ＵＥは、ノードＢがＵＥへのデータを適切に処理し送信することを可能にするためのＣＱＩ情報を送信できる。一般に、ＣＱＩ情報は任意の数の伝送ブロック又はデータストリームのために送信され得る。明瞭さのため、下記の説明の多くは、与えられたＴＴＩにおいて一つ又は二つの伝送ブロックが送信でき、ＣＱＩ情報は一つ又は二つの伝送ブロック用であってよいと仮定する。
【００３０】
ノードＢは、複数の可能なプリコーディングマトリックス（multiple possible precoding matrices）のうちの一つを使用して、二つの伝送ブロックを送信でき、又は可能なプリコーディングマトリックスのうちの一つの、一つのカラム／ベクターを使用して、単一の伝送ブロックを送信できる。ＵＥは、ＵＥへのデータ伝送のためにノードＢによって使用することができる、異なる可能なプリコーディングマトリックス及びベクトルのためのデータパフォーマンス（data performance）を評価できる。各プリコーディングマトリックス又はベクトルに対して、ＵＥは、任意の適切なメトリック（metric）によって与えられ得る、各伝送ブロックの質を推定できる。明瞭さのため、次の説明では、各伝送ブロックの質は、以下の説明では単にＳＩＮＲと呼ばれる、付加的な白色ガウシアンノイズ（ＡＷＧＮ）のチャネルに相当するＳＩＮＲによって与えられると仮定する。ＵＥは、すべての伝送ブロックのＳＩＮＲ（ｓ）に基づいて、各プリコーディングマトリックス又はベクトルのためのデータパフォーマンス（例えば、総合的なスループット）を決定できる。あらゆるプリコーディングマトリックス及びベクトルを評価した後に、ＵＥは、最良のデータパフォーマンスを提供するプリコーディングマトリックス又はベクトルを選択できる。
【００３１】
可能なプリコーディングマトリックスそれぞれのために、ＵＥは、プリコーディングマトリックスと並列に送信され得る二つの伝送ブロックのＳＩＮＲを推定できる。より高いＳＩＮＲを備える伝送ブロックは、プライマリ伝送ブロック（primary transport block）と呼ばれ得、より低いＳＩＮＲを備える伝送ブロックは、セカンダリ伝送ブロック（secondary transport block）と呼ばれ得る。各伝送ブロックのＳＩＮＲは、（ｉ）ＨＳ−ＰＤＳＣＨのパワーの合計、（ｉｉ）ＨＳ−ＰＤＳＣＨのために使用されるＯＶＳＦ符号の数、（ｉｉｉ）チャネル利得（channel gain）及び雑音分散（noise variance）によって与えられ得るチャネル条件（channel conditions）、（ｉｖ）ＵＥによって実行された受信器処理（receiver processing）のタイプ、（ｖ）連続する干渉の除去（ＳＩＣ）がＵＥによって行なわれる場合に伝送ブロックが復元される順序、そして（ｖｉ）ことによると（possibly）その他の要因のような様々な要因に依存し得る。
【００３２】
伝送ブロックｉ、のＳＩＮＲ、ＳＩＮＲｉは次のように与えられ得る。  
【数３】
0005955918.tif 000005
【００３３】
ここで、ＰＯＶＳＦは、ＨＳ−ＰＤＳＣＨのためのＯＶＳＦ符号毎のパワーであり、ＸｉはＳＩＮＲに影響する他のすべてのパラメータを含み、そして、Ｆ（）はＵＥに適用可能なＳＩＮＲ関数である。
【００３４】
ＳＩＮＲ関数は、ＵＥでの受信器処理に依存し得、ＰＯＶＳＦの線形関数ではないことがある。
【００３５】
したがって、ＰＯＶＳＦがＧデシベル（ｄＢ）だけ増加する場合、ＳＩＮＲにおける改良の量は、もっぱらＰＯＶＳＦのＧ  ｄＢの増加に基づいて、正確に知られていなくてもよい（may not be known）。ＰＯＶＳＦとＳＩＮＲとの間のこの非線形の関係は、同じＯＶＳＦ符号を使用している二つの伝送ブロックの間の干渉である、コード再使用（code-reuse）の干渉のせいであり得る。更に、ＳＩＮＲ関数はノードＢで知られてなくてもよい。
【００３６】
ある側面では、ノードＢは、ＳＩＮＲ推定に使用するため、ＯＶＳＦ符号毎のパワー、ＰＯＶＳＦを決定するためにＵＥによって使用され得るパワー情報を送信することができる。パワー情報は、様々な形式で与えられ得、ある前提に基づき得る。一つの設計では、パワー情報は、ＨＳ−ＰＤＳＣＨのパワー、ＰＨＳＰＤＳＣＨと参照チャネル（reference channel）のパワーとの間の差を示すパワーオフセットを含む。参照チャネルは、共通パイロットチャネル（Common Pilot Channel）（ＣＰＩＣＨ）又は既知のパワーを有する他のあるチャネルであり得る。一つの設計では、ＨＳ−ＰＤＳＣＨのパワー、ＰＨＳＰＤＳＣＨは以下のように決定され得る。  
【数４】
0005955918.tif 000006
【００３７】
ここで、ＰＣＰＩＣＨはＣＰＩＣＨのパワーであり、そして、ΓはノードＢによって搬送され得る（may be signaled）パワーオフセットである。
【００３８】
ノードＢは、以下に記述されるように、ＵＥにパワーオフセットΓを搬送する（signal）ことができる。ノードＢでは、ＰＨＳＰＤＳＣＨはＨＳ−ＰＤＳＣＨの送信パワーであり、そして、ＰＣＰＩＣＨはＣＰＩＣＨの送信パワーである。ＵＥでは、ＰＨＳＰＤＳＣＨはＨＳ−ＰＤＳＣＨの受信パワーであり、そして、ＰＣＰＩＣＨはＣＰＩＣＨの受信パワーである。ＵＥは、式（２）に示すように、搬送されたパワーオフセットΓに基づいてＰＨＳＰＤＳＣＨを決定することができ得る。
【００３９】
ノードＢ及びＵＥは、データ伝送のためにノードＢによって使用されるＯＶＳＦ符号毎のパワーが、ＳＩＮＲ推定のためにＵＥによって使用されるＰＯＶＳＦを満たす（meet）又は超えるように、利用可能な情報に基づいて同じ方法でＰＯＶＳＦを計算できる。ＰＯＶＳＦは様々な方法で計算され得る。一つの設計では、ＰＨＳＰＤＳＣＨは、すべての伝送ブロックに一様に割り当てられ得、ＰＯＶＳＦは、そして、すべての伝送ブロックに対して同じであり得る。別の設計では、ＰＨＳＰＤＳＣＨの特定の割合はプライマリ伝送ブロックに割り当てられ得、ＰＨＳＰＤＳＣＨの残りの割合は、セカンダリ伝送ブロックに割り当てられ得、そして、ＰＯＶＳＦは二つの伝送ブロックで異なり得る。
【００４０】
一つの設計では、ＰＯＶＳＦはＯＶＳＦ符号の指定された数、Ｍに基づいて計算され得る。一つの設計では、ノードＢは、例えば、定期的に、又は変更があるときにいつでも、より高いレイヤのシグナリング及び／又はある他のメカニズムを介してＭを提供できる。別の設計では、Ｍは、ＨＳ−ＰＤＳＣＨのためのＯＶＳＦ符号の最大数と等しくなり得（つまり、Ｍ＝１５）、又はある他の所定の／既知の値と等しくなり得る。いずれの場合も、ＰＯＶＳＦは、以下のように、Ｍ個のＯＶＳＦ符号を越えて（across）一様にＰＨＳＰＤＳＣＨを割り当てることにより取得され得る。  
【数５】
0005955918.tif 000007
【００４１】
式（３）において、ｄＢでの減算は線形単位（linear unit）での除算と等価である。
【００４２】
表２は、ここでの説明の中で使用されるいくつかのパラメータを列挙し、各パラメータのための短い説明を提供する。
【表２】
0005955918.tif 000008
【００４３】
一般に、ＰＨＳＰＤＳＣＨは、  
【数６】
0005955918.tif 000009
【００４４】
と等しく、より小さく、又はより大きくなり得る。ＰＨＳＰＤＳＣＨとＰＯＶＳＦは搬送された又は算出された値と呼ばれ得、そして、  
【数７】
0005955918.tif 000010
【００４５】
及び  
【数８】
0005955918.tif 000011
【００４６】
は、利用可能な値と呼ばれ得る。
【００４７】
ノードＢは、ＨＳ−ＰＤＳＣＨに利用可能なＫ個のＯＶＳＦ符号を有し得る。ここで、ＫはＯＶＳＦ符号の指定された数と等しくても、等しくなくてもよい。ノードＢは、利用可能なＯＶＳＦ符号の数及びＯＶＳＦ符号の指定された数に基づいて、パワーオフセットΓを調整できる。
【００４８】
図４は、ノードＢによるパワーオフセットの調整（scaling）を示す。ノードＢは、図４に示される例について、１≦Ｋ＜Ｍである、ＨＳ−ＰＤＳＣＨのためのＫ個の利用可能なＯＶＳＦ符号を有し得る。ノードＢはさらに、ＨＳ−ＰＤＳＣＨに利用可能である  
【数９】
0005955918.tif 000012
【００４９】
を有し得る。ノードＢは、Ｋ個の利用可能なＯＶＳＦ符号を越えて一様に  
【数１０】
0005955918.tif 000013
【００５０】
を割り当てることにより、  
【数１１】
0005955918.tif 000014
【００５１】
を以下のように計算できる。  
【数１２】
0005955918.tif 000015
【００５２】
ノードＢは、  
【数１３】
0005955918.tif 000016
【００５３】
に等しいＰＯＶＳＦを設定できる。その後、ノードＢは、ＰＯＶＳＦがＭ個の指定されたＯＶＳＦ符号の各々のために取得されるように、ＰＨＳＰＤＳＣＨを以下のように算出できる。  
【数１４】
0005955918.tif 000017
【００５４】
その後、ノードＢは、算出されたＰＨＳＰＤＳＣＨ及び既知のＰＣＰＩＣＨに基づいてパワーオフセットを以下のように算出できる。  
【数１５】
0005955918.tif 000018
【００５５】
ＫがＭ未満である場合、図４に示すように、算出されたＰＨＳＰＤＳＣＨは、ノードＢで利用可能な  
【数１６】
0005955918.tif 000019
【００５６】
より大きくなり得る。ＫがＭより大きい場合（図４に示されず）、算出されたＰＨＳＰＤＳＣＨは利用可能な  
【数１７】
0005955918.tif 000020
【００５７】
より小さくなり得る。いずれの場合も、  
【数１８】
0005955918.tif 000021
【００５８】
は、ＰＨＳＰＤＳＣＨと等しいかもしれないし、等しくないかもしれないため、パワーオフセットΓは、指定された数のＯＶＳＦ符号に基づく、ＰＯＶＳＦの算出に使用される仮想の（virtual）又は仮定の（hypothetical）パワーオフセットと見なされ得る。
【００５９】
ノードＢは、様々な方法でＰＯＶＳＦを決定するために使用されるパワー情報を送信できる。一つの設計では、ノードＢは、例えば、定期的に、又は変更がある場合はいつでも、より高いレイヤのシグナリング及び／又はいくつかの他のメカニズムを介してパワー情報を送信できる。
【００６０】
図５は、ＵＭＴＳ中の無線リソース制御（ＲＲＣ）メッセージを使用して、パワーオフセットΓを送信するためのメカニズムを示す。ノードＢは、ＵＥによって使用される物理チャネルのセットを割り当てる、交換する、又はリリースするために、ＵＥに物理チャネル再構成（ＰＨＹＳＩＣＡＬ  ＣＨＡＮＮＥＬ  ＲＥＣＯＮＦＩＧＵＲＡＴＩＯＮ）メッセージを送信できる。このメッセージは多くの情報エレメント（ＩＥｓ）を含むことができ、そのうちの一つは、ＨＳ−ＰＤＳＣＨのために情報を伝えることができるダウンリンクＨＳ−ＰＤＳＣＨ情報ＩＥであり得る。ダウンリンクＨＳ−ＰＤＳＣＨ情報ＩＥは、ノードＢへのアップリンク上でＵＥによって送信される、フィードバック情報に影響する情報を伝え得る測定フィードバック情報（Measurement Feedback Info）ＩＥを含むことができる。測定フィードバック情報ＩＥは、式（６）に示すように算出されたパワーオフセットΓに設定され得る、測定パワーオフセット（Measurement Power Offset）パラメータを含むことができる。パワーオフセットΓはさらに、ＵＥに他のＲＲＣメッセージ中で送信され得る。ＲＲＣメッセージ及びＩＥは、公に利用可能である、２００７年９月付けの、「無線リソース制御（ＲＲＣ）」と題される、３ＧＰＰ  ＴＳ  ２５．３３１に記述される。
【００６１】
ノードＢはさらに、他の方法でパワーオフセットΓを送ることができる。ノードＢはさらに、ＵＥがＰＯＶＳＦを算出することを可能にするための他のタイプの情報を送ることができる。一般に、ノードＢはＰＯＶＳＦの算出のための相対的な値（relative value）（例えば、パワーオフセット）又は絶対的な値（absolute value）（例えば、ＰＨＳＰＤＳＣＨ）を送信できる。ＵＥのためのリンクがセットアップされる、変更されるなどの際、ノードＢはパワー情報を送信できる。
【００６２】
ＵＥはノードＢからパワー情報（例えば、パワーオフセット）を受信でき、パワー情報及び他の既知の情報に基づいてＰＯＶＳＦを算出できる。その後、ＵＥは、ＣＱＩ情報を決定するためにＰＯＶＳＦを使用できる。
【００６３】
図６は、複数の（例えば、二つの）伝送ブロックのためのＣＱＩ情報を決定する処理６００を示す。ＵＥは、例えば、式（２）に示すように、ノードBから受信したパワーオフセットΓと、ＣＰＩＣＨのパワー、ＰＣＰＩＣＨとに基づいて、ＨＳ−ＰＤＳＣＨの受信パワー、ＰＨＳＰＤＳＣＨを算出できる（ブロック６１０）。ＵＥは次に、例えば、式（３）に示すように、ＰＨＳＰＤＳＣＨ及びＯＶＳＦ符号の指定された数に基づいて、ＰＯＶＳＦを算出できる（ブロック６１２）。ＵＥは、ＳＩＮＲ関数に従って、ＰＯＶＳＦ及び他のパラメータに基づいて、各伝送ブロックのＳＩＮＲを推定できる（ブロック６１４）。
【００６４】
ＵＥは、ＣＱＩマッピングテーブル（mapping table）に基づいて、ＣＱＩインデックスに各伝送ブロックのＳＩＮＲをマップできる（may map）（ブロック６１６）。ＣＱＩマッピングテーブルは、Ｌが任意の適切な値であり得る、Ｌ個の考えられる（possible）ＣＱＩレベルに対するＬ個のエントリ（L entries）を有することができる。各ＣＱＩレベルは、要求されるＳＩＮＲと同様に、伝送ブロックのためのパラメータのセットに関係し得る。パラメータのセットは、伝送ブロックサイズ、変調スキーム（modulation scheme）、符号レート（code rate）などを含むことができる。Ｌ個のＣＱＩレベルは、要求されるＳＩＮＲが増加することに関係し得る。各伝送ブロックのために、ＵＥは、その伝送ブロックの推定されたＳＩＮＲより低い、要求されたＳＩＮＲを備える最も高いＣＱＩレベルを選択できる。各伝送ブロックのためのＣＱＩインデックスは、Ｌ個の考えられるＣＱＩレベルのうちの一つを示すことができる。ＵＥはノードＢにＣＱＩインデックス（indices）を送ることができる（ブロック６１８）。ノードＢは、ＵＥから受信されたＣＱＩインデックスに基づいて、ＵＥに伝送ブロックを送信できる。
【００６５】
一つの設計では、対称なＯＶＳＦ符号の割当てが用いられ、そして、二つの伝送ブロックに対して、同じ数で同じのセットのＯＶＳＦ符号が使用される。この設計では、ＣＱＩマッピングテーブルは、すべてのＣＱＩレベルに対して同じ数のＯＶＳＦ符号が用いられるように定義され得る。別の設計では、非対称のＯＶＳＦ符号の割当てが許可され、そして、セカンダリ伝送ブロックのためのＯＶＳＦ符号の数は、プライマリ伝送ブロックのためのＯＶＳＦ符号の数と異なり得る（例えば、より少ない）。この設計では、ＣＱＩマッピングテーブルは、例えば、最低のＣＱＩレベルの一つ以上のためのより少ないＯＶＳＦ符号の、異なるＣＱＩレベルに対して異なる数のＯＶＳＦ符号を有し得る。セカンダリ伝送ブロックは、プライマリ伝送ブロックのために使用されるＯＶＳＦ符号のサブセット（subset）で送信され得る。
【００６６】
プリコーディングマトリックスが選択されている場合、ＵＥは、選択されたプリコーディングマトリックスと並列に送信される二つの伝送ブロックに対する二つのＣＱＩインデックスを別々に決定できる。プリコーディングベクトルが選択されている場合、ＵＥは、選択されたプリコーディングベクトルで送信される一つの伝送ブロックに対する一つのＣＱＩインデックスを決定できる。ＵＥは、一つの伝送ブロックに対する一つＣＱＩインデックス、又は二つの伝送ブロックに対する二つのＣＱＩインデックスのどちらかを搬送できる単一のＣＱＩ値（CQI value）を送信できる。二つの伝送ブロックの場合における、各ＣＱＩインデックスのための１５のＣＱＩレベルの粒度（granularity）で、合計で１５×１５＝２２５個のＣＱＩインデックスの組み合わせ（CQI index combinations）が二つの伝送ブロックに起こり得る（possible）。８ビットが単一のＣＱＩ値のために使用される場合、２５６−２２５＝３１までのレベルが、一つの伝送ブロックに対するＣＱＩインデックスに使用され得る。
【００６７】
一つの設計では、単一のＣＱＩ値は以下のように決定され得る。  
【数１９】
0005955918.tif 000022
【００６８】
ここで、ＣＱＩＳは一つの伝送ブロックに対する｛０．．．３０｝の範囲内のＣＱＩインデックスであり、ＣＱＩ１はプライマリ伝送ブロックに対する｛０．．．１４｝の範囲内のＣＱＩインデックスであり、ＣＱＩ２はセカンダリ伝送ブロックに対する｛０．．．１４｝の範囲内のＣＱＩインデックスであり、そして、ＣＱＩは一つ又は二つの伝送ブロックに対する８ビットのＣＱＩ値である。
【００６９】
式（７）に示される設計では、０から３０の範囲内のＣＱＩ値は、一つの伝送ブロックに対するＣＱＩインデックスを搬送するために使用され、そして、３１から２５５の範囲内のＣＱＩ値は、二つの伝送ブロックに対する二つのＣＱＩインデックスを搬送するために使用される。ＵＥはさらに、他の方法で、一つ又は二つの伝送ブロックに対するＣＱＩインデックス（index or indices）を単一のＣＱＩ値にマップ（map）できる。
【００７０】
一つの設計では、ＵＥは、ＰＣＩ情報のための２ビット及びＣＱＩ情報のための８ビットを含むことができるＰＣＩ／ＣＱＩ報告（report）を送信できる。ＰＣＩ情報は、ＵＥによって選択されたプリコーディングマトリックス又はベクトルを搬送できる。ＣＱＩ情報は、式（７）に示されるように算出された一つの８ビットのＣＱＩ値を含むことができる。ＰＣＩ／ＣＱＩ報告のための１０ビットは、２０符号ビット（code bits）の暗号用の言葉（codeword）を得るために、（２０，１０）ブロック符号でチャネル符号化され得る。ＰＣＩ／ＣＱＩ報告のための２０符号ビットは、図３に「ＣＱＩ」としてラベル付けされた、ＴＴＩの２番目及び３番目のスロット中のＨＳ−ＤＰＣＣＨ上に並べ（spread）られ、送信され得る。
【００７１】
ノードＢは、ＵＥからＰＣＩ／ＣＱＩ報告を受信でき、報告されたＣＱＩ値に基づいて、ＵＥが一つ又は二つの伝送ブロックのいずれを選ぶ（prefer）か、そして選ばれた（preferred）伝送ブロックそれぞれに対するＣＱＩインデックスを決定できる。ノードＢは、ＵＥによって選ばれた数の伝送ブロック、又はより少数の伝送ブロックを送信できる。例えば、ＵＥが二個の伝送ブロックを選ぶ場合、ノードＢはＵＥに０個、一個、又は二個の伝送ブロックを送信できる。
【００７２】
ＵＥは、ＯＶＳＦ符号の指定された数、Ｍに基づいて取得され得る、ＰＯＶＳＦに基づいて各伝送ブロックのＣＱＩインデックスを決定できる。ノードＢは、ＫがＭに等しくも、等しくなくもなり得る、ＨＳ−ＰＤＳＣＨに利用可能なＫ個のＯＶＳＦ符号を有し得る。ノードＢは、Ｋ、Ｍ、ＰＯＶＳＦ、及びノードＢで利用可能な  
【数２０】
0005955918.tif 000023
【００７３】
に依存する様々な方法でＵＥにデータを送信できる。
【００７４】
Ｋ＝Ｍの場合、ノードＢは、ＵＥにＰＯＶＳＦ以上で、Ｋ個の利用可能なＯＶＳＦ符号を備える各伝送ブロックを送信できる。
【００７５】
Ｋ＜Ｍの場合、一つの設計では、ノードＢは、Ｋ／Ｍ倍に伝送ブロックサイズを縮小でき、ＵＥにＰＯＶＳＦ以上でＫ個の利用可能なＯＶＳＦ符号を備える、より小さなサイズの伝送ブロックを送信できる。例えば、Ｋ＝１０、Ｍ＝１５、及びＵＥによってＳの伝送ブロックサイズが選択された場合、ノードＢは、ＵＥにＰＯＶＳＦで、１０個のＯＶＳＦ符号を備える、１０・Ｓ／１５のサイズの伝送ブロックを送信できる。この設計は、同じＰＯＶＳＦがＵＥによるＳＩＮＲ推定とノードＢによるデータ伝送の両方で使用されるため、送信された伝送ブロックのＳＩＮＲがＵＥによって推定されたＳＩＮＲと厳密に一致することを保証できる。別の設計では、ノードＢは、ＰＯＶＳＦをＭ／Ｋ倍に拡大でき、そして、ＵＥにより高いＰＯＶＳＦで（at the higher POVSF）、サイズＳ以上の伝送ブロックを送信できる。ノードＢは、より高いＰＯＶＳＦを備えるＳＩＮＲにおける改良を予期でき、適宜、伝送ブロックサイズを選択できる。
【００７６】
Ｋ＞Ｍの場合、一つの設計では、ノードＢは、Ｋ／Ｍ倍に伝送ブロックサイズを拡大でき、ＵＥにＰＯＶＳＦ以上で、Ｋ個の利用可能なＯＶＳＦ符号を備える、Ｋ・Ｓ／Ｍより大きなサイズの伝送ブロックを送信できる。別の設計では、ノードＢは、Ｍ／Ｋ倍にＰＯＶＳＦを縮小でき、その後、ＵＥにより低いＰＯＶＳＦで、サイズＳ以下の伝送ブロックを送信できる。
【００７７】
一般に、ノードＢは、ＰＯＶＳＦ以上が各ＯＶＳＦ符号に使用されるように、Ｋ，Ｍ，  
【数２１】
0005955918.tif 000024
【００７８】
及びＰＨＳＰＤＳＣＨに基づいて、ＨＳ−ＰＤＳＣＨのために使用するＯＶＳＦ符号の数を選択できる。ノードＢは、ＰＯＶＳＦ以上でＫ個までの利用可能なＯＶＳＦ符号を備える各伝送ブロックを送信できる。ノードＢは、ＨＳ−ＰＤＳＣＨのために使用されるＯＶＳＦ符号の数、及びＣＱＩを決定するために使用されるＯＶＳＦ符号の指定された数に基づいて、伝送ブロックサイズを調整できる。
【００７９】
図７は、ノードＢ（あるいは発信器）によって行なわれる処理７００の設計を示す。チャネライゼーションコード毎に等しいパワー、ＰＯＶＳＦで、指定された数のチャネライゼーションコードに対して、パワーの合計、ＰＨＳＰＤＳＣＨを示すパワー情報が決定され得る（ブロック７１２）。一つの設計では、パワー情報は、データチャネルに対して指定された数のチャネライゼーションコードに対するパワーの合計と、パイロットチャネルのパワー、ＰＣＰＩＣＨとの間のパワーオフセットを含むことができる。指定された数のチャネライゼーションコードは、ＨＳ−ＰＤＳＣＨについて１５である、データ伝送に利用可能な最大数のチャネライゼーションコードであり得る。指定された数のチャネライゼーションコードは、さらにＵＥによって演繹的に知られる、定数のチャネライゼーションコードであり得る。
【００８０】
ブロック７１２の一つの設計では、データチャネルに利用可能なパワー、  
【数２２】
0005955918.tif 000025
【００８１】
、及びデータチャネルに利用可能なチャネライゼーションコードの数、Ｋは決定され得る。チャネライゼーションコード毎のパワー、  
【数２３】
0005955918.tif 000026
【００８２】
は、利用可能なパワー、  
【数２４】
0005955918.tif 000027
【００８３】
に基づいて、利用可能なチャネライゼーションコードの数のために決定され得る。その後、データチャネルのパワーの合計、ＰＨＳＰＤＳＣＨは、例えば、式（５）に示されるように、指定された数のチャネライゼーションコード、及びチャネライゼーションコード毎のパワー、  
【数２５】
0005955918.tif 000028
【００８４】
に基づいて、算出され得る。その後、パワーオフセットは、例えば、式（６）に示されるように、データチャネルのパワーの合計、ＰＨＳＰＤＳＣＨ，及びパイロットチャネルのパワー、ＰＣＰＩＣＨに基づいて決定され得る。パワー情報に基づいて決定された合計のパワーＰＨＳＰＤＳＣＨは、利用可能なパワー  
【数２６】
0005955918.tif 000029
【００８５】
より大きくなり得、又はより小さくなり得る。パワー情報は、例えば、ＲＲＣメッセージの中で、又はいくつかの他の手段を介してＵＥに送信され得る（ブロック７１４）。
【００８６】
少なくとも一つの伝送ブロックに対する少なくとも一つのＣＱＩインデックスは、チャネライゼーションコード毎のパワー、ＰＯＶＳＦに基づいて、ＵＥによって決定されている、少なくとも一つのＣＱＩインデックスと共に、ＵＥから受信され得る（ブロック７１６）。少なくとも一つの伝送ブロックは、少なくとも一つの受信されたＣＱＩインデックスに基づいて、ＵＥに送信され得る（ブロック７１８）。一つの設計では、伝送ブロックは、ＵＥにチャネライゼーションコード毎のパワー、ＰＯＶＳＦ以上で、指定された数のチャネライゼーションコードと共に送信され得る。別の設計では、伝送ブロックは、指定された数のチャネライゼーションコード及び利用可能なチャネライゼーションコードの数に基づいて調整され得る。その後、伝送ブロックは、ＵＥにチャネライゼーションコード毎のパワー、ＰＯＶＳＦで、利用可能なチャネライゼーションコードの数と共に送信され得る。さらに別の設計では、チャネライゼーションコード毎のパワーは、指定された数のチャネライゼーションコード及び利用可能なチャネライゼーションコードの数に基づいて調整され得る。その後、伝送ブロックは、ＵＥにチャネライゼーションコード毎の調整されたパワーで、利用可能なチャネライゼーションコードの数と共に送信され得る。
【００８７】
図８は、ＵＥ（又は受信器）によって行なわれる処理８００の設計を示す。パワー情報は、例えば、ＲＲＣメッセージの中で、又はいくつかの他の手段（means）を介して、ノードＢから受信され得る（ブロック８１２）。チャネライゼーションコード毎のパワー、ＰＯＶＳＦは、パワー情報に基づいて、指定された数のチャネライゼーションコードに対して決定され得る（ブロック８１４）。ブロック８１４の一つの設計では、パワーオフセットはパワー情報から取得され得、データチャネルの受信パワー、ＰＨＳＰＤＳＣＨは、例えば、式（２）に示されるように、パワーオフセット及びパイロットチャネルの受信パワー、ＰＣＰＩＣＨに基づいて決定され得る。その後、チャネライゼーションコード毎のパワー、ＰＯＶＳＦは、例えば、式（３）に示されるように、データチャネルの受信パワー、ＰＨＳＰＤＳＣＨ及びチャネライゼーションコードの指定された数に基づいて決定され得る。
【００８８】
少なくとも一つの伝送ブロックのための少なくとも一つのＣＱＩインデックスは、チャネライゼーションコード毎のパワーに基づいて決定され得る（ブロック８１６）。ブロック８１６の一つの設計では、少なくとも一つの伝送ブロックの少なくとも一つのＳＩＮＲは、チャネライゼーションコード毎のパワーに基づいて推定され得る。その後、少なくとも一つの伝送ブロックのための少なくとも一つのＣＱＩインデックスは、少なくとも一つのＳＩＮＲに基づいて、決定され得、ノードＢに送信され得る（ブロック８１８）。
【００８９】
少なくとも一つの伝送ブロックは、ノードＢによって、チャネライゼーションコード毎のパワー、ＰＯＶＳＦ以上で送信されている伝送ブロック（transport block(s)）と共に、ノードＢから受信され得る（ブロック８２０）。伝送ブロックは、多くの利用可能なチャネライゼーションコードを介して受信され得、指定された数のチャネライゼーションコード及び利用可能なチャネライゼーションコードの数に基づいて、調整されたサイズを有し得る。
【００９０】
明瞭さのために、当該技術はＯＶＳＦ符号を使用するデータ伝送について記述されている。当該技術はさらに、他のタイプのリソースに使用され得る。一般に、ノードＢはリソースエレメント（resource element）毎に等しいパワーで、指定された数のリソースエレメントのためのパワーの合計を示すパワー情報を決定できる。指定された数のリソースエレメントは、指定された数の副搬送波（subcarriers）、指定された数のチャネライゼーションコード、指定された数のタイムスロット、指定された数のデータストリーム、指定された数の伝送ブロック、指定された数のチャネル、指定された数のアンテナ等に対応できる。ノードＢは、ＵＥにパワー情報を送信し得、該ＵＥにリソースエレメント毎のパワー以上で、一つ以上のリソースエレメントを備えるデータを送信し得る。
【００９１】
当業者は、情報及び信号が、様々な異なる技術及び技法のいずれかを使用して表わされ得ることを、理解するであろう。例えば、上記の説明の全体にわたって参照され得るデータ、命令、コマンド、情報、信号、ビット、シンボル、及びチップは、電圧、電流、電磁波、磁場もしくは磁性粒子（particles）、光場（optical field）もしくは光学粒子、又はその任意の組み合わせによって表わされ得る。
【００９２】
当業者は、ここでの開示に関連して記述された、様々な説明のための論理ブロック、モジュール、回路、及びアルゴリズムステップが、電子ハードウェア、コンピュータソフトウェア、又は両方の組み合わせとして実装され得ることをさらに理解するであろう。ハードウェア及びソフトウェアのこの互換性を明瞭に説明するために、様々な説明のためのコンポーネント、ブロック、モジュール、回路、及びステップは、それらの機能性の観点から、一般に上記に説明されてきた。そのような機能性がハードウェア又はソフトウェアとして実装されるかどうかは、全体のシステムに課された特定のアプリケーション及び設計の制約(particular application and design constraints imposed on the overall system)に依存する。熟練した職人は、特定のアプリケーションそれぞれのための様々な方法において、記述された機能性を実装できるが、そのような実装の決定は、本開示の範囲からの逸脱を生じさせるものとして解釈されるべきでない。
【００９３】
ここでの開示に関連して記載された様々な説明のための論理ブロック、モジュール、及び回路は、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス、ディスクリートゲートもしくはトランジスタロジック、ディスクリートハードウェアコンポーネント、又はここに記載された機能を実行するために設計されたそれらのいずれかの組み合わせで実装され得、又は実行され得る。汎用プロセッサは、マイクロプロセッサであってよいが、代替として、プロセッサが任意の従来のプロセッサ、コントローラ、マイクロコントローラ、又はステートマシンであってもよい。プロセッサはまた、コンピューティングデバイスの組み合わせ、例えば、ＤＳＰと、マイクロプロセッサ、複数のマイクロプロセッサ、ＤＳＰコアと関連する一つ以上のマイクロプロセッサ、又はいずれの他のそのような構成との組み合わせとして実装され得る。
【００９４】
ここでの開示に関連して記述された方法又はアルゴリズムのステップは、ハードウェアで、プロセッサによって実行されるソフトウェアモジュールで、又はこれら二つの組み合わせで直接的に具現化され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、又は当技術分野において知られている記憶媒体のいずれの他の形態に存在する（reside）ことができる。典型的な（exemplary）記憶媒体は、プロセッサが記憶媒体から情報を読み出すことができ、また記憶媒体に情報を書き込むことができるように、プロセッサに結合される。別の方法では、記憶媒体はプロセッサに一体化されてもよい。プロセッサ及び記憶媒体はＡＳＩＣに存在してもよい。ＡＳＩＣはユーザ端末に存在してもよい。別の方法では、プロセッサ及び記憶媒体は、ユーザ端末内のディスクリートコンポーネントとして存在してもよい。
【００９５】
一つ以上の典型的な設計では、記述された機能は、ハードウェア、ソフトウェア、ファームウェア、又はそれらのいずれかの組み合わせで実装され得る。ソフトウェアで実装された場合、機能は、コンピュータ可読媒体上の一つ以上の命令又はコードとして、格納又は送信され得る。コンピュータ可読媒体は、コンピュータ記憶媒体と、ある場所から別の場所へのコンピュータプログラムの転送を容易にするあらゆる媒体を含む通信媒体との両方を含む。記憶媒体は、汎用又は特別な目的のコンピュータによってアクセスされることができる、あらゆる利用可能な媒体であり得る。限定ではなく、一例として、そのようなコンピュータ可読媒体は、ＲＡＭ、ＲＯＭ、ＥＥＰＲＯＭ、ＣＤ−ＲＯＭもしくは他の光ディスク記憶装置、磁気ディスク記憶装置もしくは他の磁気記憶デバイス、又は、汎用あるいは特別な目的のコンピュータ、もしくは汎用あるいは特別な目的のプロセッサによってアクセスされることができる、命令もしくはデータ構造の形態である所望のプログラムコード手段を伝送もしくは格納するために利用されることができる、他のあらゆる媒体を含むことができる。さらに、あらゆる接続はコンピュータ可読媒体と適切に名付けられる。例えば、ソフトウェアが、同軸ケーブル、光ファイバーケーブル、ツイストペア、デジタル加入者線（ＤＳＬ）、又は赤外線、無線、及びマイクロ波のような無線技術を使用して、ウェブサイト、サーバ、又は他のリモートソース（remote source）から送信される場合、同軸ケーブル、光ファイバーケーブル、ツイストペア、ＤＳＬ、又は赤外線、無線、及びマイクロ波のような無線技術は、媒体の定義に含まれる。ここで用いられるディスク（disk and disc）は、通常、データを磁気的に再生するディスク（disks）と、一方、レーザーで光学的にデータを再生するディスク（discs）である、コンパクトディスク（ＣＤ）、レーザーディスク（登録商標）、光ディスク、デジタル多用途ディスク（ＤＶＤ）、フロッピー（登録商標）ディスク、及びブルーレイ（登録商標）ディスクを含む。上記のものの組み合わせもコンピュータ可読媒体の範囲内で含まれるべきである。
【００９６】
本開示の以上の説明は、あらゆる当業者に本開示を作り、又は使用することができるように提供されている。本開示に対する様々な修正は、当業者にとって容易に明らかであろう、そして、ここに定義された包括的な原理は、本開示の範囲から逸脱せずに他の実施形態に適用され得る。したがって、本開示は、ここに記載された例及び設計に限定されるようには意図されておらず、ここに開示された原理及び新規な特徴に整合する最も広い範囲が与えられるべきである。
以下に、本願出願の当初の特許請求の範囲に記載された発明を付記する。
［１］
チャネライゼーションコード毎に等しいパワーを備える、指定された数のチャネライゼーションコードのパワーの合計を示すパワー情報を決定し、ユーザ機器（ＵＥ）へ前記パワー情報を送信するように構成される少なくとも一つのプロセッサと、
前記少なくとも一つのプロセッサに接続されたメモリとを具備する無線通信のための装置。
［２］
前記パワー情報は、データチャネルのための前記指定された数のチャネライゼーションコードのパワーの合計と、パイロットチャネルのパワーとの間のパワーオフセットを含む上記［１］記載の装置。
［３］
前記指定された数のチャネライゼーションコードは、利用可能なチャネライゼーションコードの数より多く、前記指定された数のチャネライゼーションコードのパワーの合計は、データチャネルのための利用可能なパワーより大きい上記［１］記載の装置。
［４］
前記少なくとも一つのプロセッサは、データチャネルに利用可能なパワーを決定し、前記データチャネルに利用可能なチャネライゼーションコードの数を決定し、前記利用可能なパワー、前記利用可能なチャネライゼーションコードの数、及び前記指定された数のチャネライゼーションコードに基づいて、前記パワー情報を決定するように構成される上記［１］記載の装置。
［５］
前記少なくとも一つのプロセッサは、前記利用可能なパワーと前記利用可能なチャネライゼーションコードの数とに基づいて、前記チャネライゼーションコード毎のパワーを決定し、前記指定された数のチャネライゼーションコード、前記利用可能なチャネライゼーションコードの数、及び前記チャネライゼーションコード毎のパワーに基づいて、前記指定された数のチャネライゼーションコードのパワーの合計を算出し、前記指定された数のチャネライゼーションコードのパワーの合計に基づいて前記パワー情報を決定するように構成される上記［４］記載の装置。
［６］
前記少なくとも一つのプロセッサは、前記指定された数のチャネライゼーションコードのパワーの合計とパイロットチャネルのパワーとに基づいて、パワーオフセットを決定するように構成され、前記パワー情報は前記パワーオフセットを含む上記［５］記載の装置。
［７］
前記少なくとも一つのプロセッサは、前記ＵＥから少なくとも一つの伝送ブロックのための少なくとも一つのチャネル品質インジケータ（ＣＱＩ）インデックスを受信し、前記少なくとも一つのＣＱＩインデックスは、前記チャネライゼーションコード毎のパワーに基づいて前記ＵＥによって決定され、前記少なくとも一つのＣＱＩインデックスに基づいて、前記ＵＥに前記少なくとも一つの伝送ブロックを送信するように構成される上記［１］記載の装置。
［８］
前記少なくとも一つのプロセッサは、前記ＵＥに、前記チャネライゼーションコード毎のパワー以上で、前記指定された数のチャネライゼーションコードを備える前記少なくとも一つの伝送ブロックを送信するように構成される上記［７］記載の装置。
［９］
前記少なくとも一つのプロセッサは、前記指定された数のチャネライゼーションコード及び利用可能なチャネライゼーションコードの数に基づいて、前記少なくとも一つの伝送ブロックのサイズを調整し、前記ＵＥに、前記チャネライゼーションコード毎のパワー以上で、前記利用可能なチャネライゼーションコードの数を備える前記少なくとも一つの伝送ブロックを送信するように構成される上記［７］記載の装置。
［１０］
前記少なくとも一つのプロセッサは、前記指定された数のチャネライゼーションコード及び前記利用可能なチャネライゼーションコードの数に基づいて、前記チャネライゼーションコード毎のパワーを調整し、前記ＵＥに、前記チャネライゼーションコード毎の調整されたパワーで、前記利用可能なチャネライゼーションコードの数を備える前記少なくとも一つの伝送ブロックを送信するように構成される上記［７］記載の装置。
［１１］
前記少なくとも一つのプロセッサは、チャネライゼーションコードの共通のセットを備える複数の伝送ブロックの各々を送信するように構成される上記［１］記載の装置。
［１２］
前記少なくとも一つのプロセッサは、チャネライゼーションコードのセットを備える第１の伝送ブロックを送信し、前記第１の伝送ブロックに用いられる前記チャネライゼーションコードのセットのサブセットを備える第２の伝送ブロックを送信するように構成される上記［１］記載の装置。
［１３］
前記指定された数のチャネライゼーションコードは、データ伝送に利用可能なチャネライゼーションコードの最大数である上記［１の装置。
［１４］
前記指定された数のチャネライゼーションコードは、データ伝送に利用可能な、前記ＵＥによって演繹的にわかる、定数のチャネライゼーションコードである上記［１］記載の装置。
［１５］
前記少なくとも一つのプロセッサは、前記ＵＥに、無線リソース制御（ＲＲＣ）メッセージ中の情報エレメント中の前記パワー情報を送信するように構成される上記［１］記載の装置。
［１６］
チャネライゼーションコード毎に等しいパワーで、指定された数のチャネライゼーションコードのパワーの合計を示すパワー情報決定することと、
ユーザ機器（ＵＥ）に前記パワー情報を送ることとを具備する無線通信のための方法。
［１７］
前記パワー情報を決定することは、データチャネルのための前記指定された数のチャネライゼーションコードのパワーの合計に基づいて、パワーオフセットを決定することを具備し、前記パワー情報は前記パワーオフセットを含む上記［１６］記載の方法。
［１８］
前記パワー情報を決定することは、データチャネルに利用可能なパワー、データチャネルに利用可能なチャネライゼーションコードの数、指定された数のチャネライゼーションコード、及びパイロットチャネルのパワーに基づいて、パワーオフセットを決定することを具備し、前記パワー情報は前記パワーオフセットを含む上記［１６］記載の方法。
［１９］
前記チャネライゼーションコード毎のパワーに基づいて、前記ＵＥによって決定される少なくとも一つのチャネル品質インジケータ（ＣＱＩ）インデックスであって、前記ＵＥから少なくとも一つの伝送ブロックのための前記少なくとも一つのＣＱＩインデックスを受け取ることと、
前記少なくとも一つのＣＱＩインデックスに基づいて前記少なくとも一つの伝送ブロックを処理することと、
前記ＵＥに、前記チャネライゼーションコード毎のパワー以上で、前記指定された数のチャネライゼーションコードを備える前記少なくとも一つの伝送ブロックを送信することとをさらに具備する上記［１６］記載の方法。
［２０］
前記チャネライゼーションコード毎のパワーに基づいて、前記ＵＥによって決定される少なくとも一つのチャネル品質インジケータ（ＣＱＩ）インデックスであって、前記ＵＥから少なくとも一つの伝送ブロックのための前記少なくとも一つのＣＱＩインデックスを受け取ることと、
前記指定された数のチャネライゼーションコード及び利用可能なチャネライゼーションコードの数に基づいて、前記少なくとも一つの伝送ブロックのサイズを調整することと、
前記少なくとも一つのＣＱＩインデックスに基づいて前記少なくとも一つの伝送ブロックを処理することと、
前記ＵＥに、前記チャネライゼーションコード毎のパワー以上で、前記利用可能なチャネライゼーションコードの数を備える前記少なくとも一つの伝送ブロックを送信することとをさらに具備する上記［１６］記載の方法。
［２１］
チャネライゼーションコード毎に等しいパワーの、指定された数のチャネライゼーションコードのパワーの合計を示すパワー情報を決定するための手段と、
ユーザ機器（ＵＥ）に前記パワー情報を送信するための手段とを具備する無線通信のための装置。
［２２］
前記パワー情報を決定するための手段は、
データチャネルのための前記指定された数のチャネライゼーションコードのパワーの合計とパイロットチャネルのパワーとに基づいて、パワーオフセットを決定するための手段を具備し、前記パワー情報は前記パワーオフセットを含む上記［２１］記載の装置。
［２３］
前記パワー情報を決定するための手段は、
データチャネルに利用可能なパワー、前記データチャネルに利用可能なチャネライゼーションコードの数、前記指定された数のチャネライゼーションコード、及びパイロットチャネルのパワーに基づいてパワーオフセットを決定するための手段を具備し、前記パワー情報は前記パワーオフセットを含む上記［２１］記載の装置。
［２４］
前記チャネライゼーションコード毎のパワーに基づいて、前記ＵＥによって決定される少なくとも一つのチャネル品質インジケータ（ＣＱＩ）インデックスであって、前記ＵＥから少なくとも一つの伝送ブロックのための前記少なくとも一つのＣＱＩインデックスを受け取るための手段と、
前記少なくとも一つのＣＱＩインデックスに基づいて前記少なくとも一つの伝送ブロックを処理するための手段と、
前記ＵＥに、前記チャネライゼーションコード毎のパワー以上で、前記指定された数のチャネライゼーションコードを備える前記少なくとも一つの伝送ブロックを送信するための手段とをさらに具備する上記［２１］記載の装置。
［２５］
前記チャネライゼーションコード毎のパワーに基づいて、前記ＵＥによって決定される少なくとも一つのチャネル品質インジケータ（ＣＱＩ）インデックスであって、前記ＵＥから少なくとも一つの伝送ブロックのための前記少なくとも一つのＣＱＩインデックスを受け取るための手段と、
前記指定された数のチャネライゼーションコード及び利用可能なチャネライゼーションコードの数に基づいて、前記少なくとも一つの伝送ブロックのサイズを調整するための手段と、
前記少なくとも一つのＣＱＩインデックスに基づいて、前記少なくとも一つの伝送ブロックを処理するための手段と、
前記ＵＥに、前記チャネライゼーションコード毎のパワー以上で、前記利用可能なチャネライゼーションコードの数を備える前記少なくとも一つの伝送ブロックを送信するための手段をさらに具備する上記［２１］記載の装置。
［２６］
少なくとも一つのコンピュータに、チャネライゼーションコード毎に等しいパワーの、指定された数のチャネライゼーションコードのパワーの合計を示すパワー情報を決定させるためのコードと、
前記少なくとも一つのコンピュータに、ユーザ機器（ＵＥ）に前記パワー情報を送信させるためのコードと、
を具備するコンピュータ可読媒体を具備するコンピュータプログラム製品。
［２７］
直交可変拡散率（ＯＶＳＦ）符号毎に等しいパワーで、利用可能なＯＶＳＦ符号の数に関わらず、１５個のＯＶＳＦ符号のセットに対するパワーの合計を示すパワーオフセットを決定し、ユーザ機器（ＵＥ）に、無線リソース制御（ＲＲＣ）メッセージ中の前記パワーオフセットを送信するように構成される少なくとも一つのプロセッサと、
前記少なくとも一つのプロセッサに接続されたメモリとを具備する無線通信のための装置。
［２８］
前記少なくとも一つのプロセッサは、前記ＯＶＳＦ符号毎のパワーに基づいて、前記ＵＥによって決定される少なくとも一つのチャネル品質インジケータ（ＣＱＩ）インデックスであって、前記ＵＥから少なくとも一つの伝送ブロックのための前記少なくとも一つのＣＱＩインデックスを受信し、前記少なくとも一つのＣＱＩインデックスに基づいて、前記少なくとも一つの伝送ブロックを処理し、前記ＵＥに前記ＯＶＳＦ符号毎のパワー以上で、１５個のＯＶＳＦ符号を備える前記少なくとも一つの伝送ブロックを送信するように構成される上記［２７］記載の装置。
［２９］
前記少なくとも一つのプロセッサは、前記ＯＶＳＦ符号毎のパワーに基づいて前記ＵＥによって決定される、少なくとも一つのチャネル品質インジケータ（ＣＱＩ）インデックスであって、前記ＵＥから少なくとも一つの伝送ブロックのための前記少なくとも一つのＣＱＩインデックスを受信し、前記ＯＶＳＦ符号毎のパワーを示す前記１５個のＯＶＳＦ符号と利用可能なＯＶＳＦ符号の数とに基づいて、前記少なくとも一つの伝送ブロックのサイズを調整し、前記少なくとも一つのＣＱＩインデックスに基づいて、前記少なくとも一つの伝送ブロックを処理し、前記ＵＥに前記ＯＶＳＦ符号毎のパワー以上で、前記利用可能なＯＶＳＦ符号の数を備える前記少なくとも一つの伝送ブロックを送信するように構成される上記［２７］記載の装置。
［３０］
リソースエレメント毎に等しいパワーで、指定された数のリソースエレメントのパワーの合計を示すパワー情報を決定し、ユーザ機器（ＵＥ）に前記パワー情報を送信するように構成される少なくとも一つのプロセッサと、
前記少なくとも一つのプロセッサに接続されたメモリとを具備する無線通信のための装置。
［３１］
前記指定された数のリソースエレメントは、指定された数の副搬送波、指定された数のチャネライゼーションコード、指定された数のタイムスロット、指定された数のデータストリーム、指定された数の伝送ブロック、措定された数のチャネル、又は指定された数のアンテナを含む上記［３０］記載の装置。
［３２］
前記少なくとも一つのプロセッサは、前記ＵＥに前記リソースエレメント毎のパワー以上で、一つ以上のリソースエレメントを備えるデータを送信するように構成される上記［３０］記載の装置。
［３３］
ノードＢからパワー情報を受信し、前記パワー情報に基づいて、指定された数のチャネライゼーションコードのチャネライゼーションコード毎のパワーを決定し、前記チャネライゼーションコード毎のパワーに基づいて、少なくとも一つの伝送ブロックのための少なくとも一つのチャネル品質インジケータ（ＣＱＩ）インデックスを決定し、ノードＢに前記少なくとも一つのＣＱＩインデックスを送信するように構成される少なくとも一つのプロセッサと、
前記少なくとも一つのプロセッサに接続されたメモリを具備する無線通信のための装置。
［３４］
前記少なくとも一つのプロセッサは、前記パワー情報からパワーオフセットを取得し、前記パワーオフセットに基づいてデータチャネルの受信パワーとパイロットチャネルの受信パワーとを決定し、前記データチャネルの受信パワーと前記指定された数のチャネライゼーションコードとに基づいて、前記チャネライゼーションコード毎のパワーを決定するように構成される上記［３３］記載の装置。
［３５］
前記少なくとも一つのプロセッサは、前記チャネライゼーションコード毎のパワーに基づいて、前記少なくとも一つの伝送ブロックの少なくとも一つの信号対干渉及び雑音比（ＳＩＮＲ）を推定し、前記少なくとも一つのＳＩＮＲに基づいて、前記少なくとも一つの伝送ブロックのための前記少なくとも一つのＣＱＩインデックスを決定するように構成される上記［３３］記載の装置。
［３６］
前記少なくとも一つのプロセッサは、前記チャネライゼーションコード毎のパワー以上で、ノードBによって送信される前記少なくとも一つの伝送ブロックを受信するように構成される上記［３３］記載の装置。
［３７］
前記少なくとも一つのプロセッサは、
前記指定された数のチャネライゼーションコードと利用可能なチャネライゼーションコードの数とに基づいて調整されたサイズを有する前記少なくとも一つの伝送ブロックであって、前記ノードＢから前記利用可能なチャネライゼーションコードの数を介して前記少なくとも一つの伝送ブロックを受信するように構成される上記［３３］記載の装置。
［３８］
ノードＢからパワー情報を受信することと、
前記パワー情報に基づいて指定された数のチャネライゼーションコードのチャネライゼーションコード毎のパワーを決定することと、
チャネライゼーションコード毎のパワーに基づいて、少なくとも一つの伝送ブロックのための少なくとも一つのチャネル品質インジケータ（ＣＱＩ）インデックスを決定することと、
ノードＢに少なくとも一つのＣＱＩインデックスを送信することとを具備する無線通信のための方法。
［３９］
前記チャネライゼーションコード毎のパワーを決定することは、前記パワー情報からパワーオフセットを取得すること、前記パワーオフセットとパイロットチャネルの受信パワーに基づいてデータチャネルの受信パワーを決定すること、及び前記データチャネルの受信パワーと前記指定された数のチャネライゼーションコードに基づいて、前記チャネライゼーションコード毎のパワーを決定することを具備する上記［３８］記載の方法。
［４０］
前記少なくとも一つのＣＱＩインデックスを決定することは、前記チャネライゼーションコード毎のパワーに基づいて、前記少なくとも一つの伝送ブロックの少なくとも一つの信号対干渉及び雑音比（ＳＩＮＲ）を推定すること、及び前記少なくとも一つのＳＩＮＲに基づいて前記少なくとも一つの伝送ブロックのための前記少なくとも一つのＣＱＩインデックスを決定することを具備する上記［３８］記載の方法。
［４１］
前記ノードＢによって、前記チャネライゼーションコード毎のパワーで送信された前記少なくとも一つの伝送ブロックを受信することをさらに具備する上記［３８］記載の方法。
［４２］
ノードＢからパワー情報を受信するための手段と、
前記パワー情報に基づいて指定された数のチャネライゼーションコードのためのチャネライゼーションコード毎のパワーを決定するための手段と、
前記チャネライゼーションコード毎のパワーに基づいて、少なくとも一つの伝送ブロックのための少なくとも一つのチャネル品質インジケータ（ＣＱＩ）インデックスを決定するための手段と、
前記ノードＢに前記少なくとも一つのＣＱＩインデックスを送信するための手段とを具備する無線通信のための装置。
［４３］
前記チャネライゼーションコード毎のパワーを決定するための手段は、前記パワー情報からパワーオフセットを取得するための手段、前記パワーオフセット及びパイロットチャネルの受信パワーに基づいて、データチャネルの受信パワーを決定するための手段、並びに前記データチャネルの受信パワー及び前記指定された数のチャネライゼーションコードに基づいて、前記チャネライゼーションコード毎のパワーを決定するための手段を具備する上記［４２］記載の装置。
［４４］
前記複数のＣＱＩインデックス決定するための手段は、前記チャネライゼーションコード毎のパワーに基づいて、前記少なくとも一つの伝送ブロックの少なくとも一つの信号対干渉及び雑音比（ＳＩＮＲ）を推定するための手段と、前記少なくとも一つのＳＩＮＲに基づいて、前記少なくとも一つの伝送ブロックのための前記少なくとも一つのＣＱＩインデックスを決定するための手段を具備する上記［４２］記載の装置。
［４５］
前記ノードＢによって、前記チャネライゼーションコード毎のパワー以上で送信された前記少なくとも一つの伝送ブロックを受信するための手段をさらに具備する上記［４２］記載の装置。
【図１】
0005955918.tif 000030
【図２】
0005955918.tif 000031
【図３】
0005955918.tif 000032
【図４】
0005955918.tif 000033
【図５】
0005955918.tif 000034
【図６】
0005955918.tif 000035
【図７】
0005955918.tif 000036
【図８】
0005955918.tif 000037